(57)【特許請求の範囲】
【請求項１】
間接活線工具を用いて操作できると共に、電線又は電線を覆う絶縁シートを挟持可能な間接活線工事用クリップであって、
前記電線又は前記絶縁シートを挟持可能な挟持部、及び前記挟持部に連続し、前記間接活線工具によって把持される把持部を有する一対の帯板状の開閉部材と、
一対の前記挟持部の先端部を開閉可能に、一対の前記挟持部の基端部側を連結する連結部材と、
一対の前記挟持部の先端部が閉じる方向に力を付勢する付勢部材と、を備え、
前記挟持部は、先端部と基端部の間の領域に亘り、内壁から外壁に向かって窪んだ切り欠き部を有し、
前記切り欠き部には、前記電線又は前記絶縁シートとの滑りを防止する帯板状の弾性部材を取り付けており、
前記弾性部材は、先端部側から基端部側に向かって、板厚が漸次減少している間接活線工事用クリップ。
【請求項２】
前記弾性部材は、波状に凹部と凸部が規則的に繰り返すプロファイル加工を前記電線又は前記絶縁シートの挟持面に施している請求項１記載の間接活線工事用クリップ。
【請求項３】
一方の前記弾性部材に設けた前記凹部と、他方の前記弾性部材に設けた前記凸部は、略嵌合するように配置されている請求項２記載の間接活線工事用クリップ。
【請求項４】
一対の前記開閉部材は、絶縁性を有する硬質の合成樹脂からなり、
前記弾性部材は、前記開閉部材より硬度の低いゴム板からなる請求項１から３のいずれかに記載の間接活線工事用クリップ。
【発明の詳細な説明】
【技術分野】
【０００１】
本発明は、間接活線工事用クリップに関する。特に、絶縁操作棒などを用いて、無停電状態の高圧配電線を間接的に活線工事できる間接活線工事用クリップの構造に関する。
【背景技術】
【０００２】
間接活線工事用クリップは、絶縁操作棒などの間接活線工具に連結されて操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
このような間接活線工事用クリップとしては、高圧配電線を挟持可能な一対の開閉部材の挟持面に緩やかに湾曲した大小の凹部を設け、比較的ラフな操作であっても、適用サイズの高圧配電線を大小の凹部のいずれかに把持できる間接活線工事用クリップが開示されている（例えば、特許文献１参照）。
【先行技術文献】
【特許文献】
【０００４】
【特許文献１】特開２００１−２７２０９号公報
【発明の概要】
【発明が解決しようとする課題】
【０００５】
図７は、特許文献１による間接活線工事用クリップの構成を示す正面図である。本願の図７は、特許文献１の図１に相当している。図７を参照すると、特許文献１による間接活線工事用クリップ（以下、クリップと略称する）９は、一対の帯板状の開閉部材９１・９２で構成している。一対の開閉部材９１・９２は、図示しない電線を挟持可能な挟持部９１ａ・９２ａと、図示しない絶縁操作棒によって把持される把持部９１ｂ・９２ｂに区分している。
【０００６】
図７を参照すると、クリップ９は、一対の挟持部９１ａ・９２ａの先端部を開閉可能に一対の開閉部材９１・９２を連結する連結部９ｃを有している。更に、クリップ９は、挟持部９１ａ・９２ａの先端部が閉じる方向に力を付勢する捩じりコイルばね９３を備えている。捩じりコイルばね９３の付勢力に抗して、一対の把持部９１ｂ・９２ｂを互いに近づけると、挟持部９１ａ・９２ａの先端部を開くことができる。一対の把持部９１ｂ・９２ｂを解放すると、捩じりコイルばね９３に付勢されて、挟持部９１ａ・９２ａの先端部を閉じることができる。
【０００７】
図７を参照すると、一対の挟持部９１ａ・９２ａを閉じた状態では、クリップ９は、綾目状の滑り止め加工を表面に施した一対の把持部９１ｂ・９２ｂの外面が略平行に形成されているので、あらゆる方向から間接活線工具でクリップ９を把持できる、としている。又、クリップ９は、図示しない電線を挟持可能な一対の開閉部材９１・９２の挟持面に緩やかに湾曲した大小の凹部９１１・９１２を設け、比較的ラフな操作であっても、適用サイズの高圧配電線を大小の凹部９１１・９１２のいずれかに把持できる、としている。
【０００８】
しかし、従来技術によるクリップ９は、一対の挟持部９１ａ・９２ａが伸長する方向と電線が伸長する方向が略直交する以外の交差角度で、電線を挟持した場合には、電線が滑り易いという問題がある。電線又は電線を覆う絶縁シートを確実に挟持できる間接活線工事用クリップが求められている。そして、以上のことが本発明の課題といってよい。
【０００９】
本発明は、このような問題に鑑みてなされたものであり、電線又は電線を覆う絶縁シートを確実に挟持できる間接活線工事用クリップを提供することを目的とする。
【課題を解決するための手段】
【００１０】
本発明者らは、電線又は電線を覆う絶縁シートを挟持可能な一対の開閉部材の挟持部に、電線又は電線を覆う絶縁シートを弾性的に挟持する弾性部材を配置することにより、これらの課題が解決可能なことを見出し、これに基づいて、以下のような新たな間接活線工事用クリップを発明するに至った。
【００１１】
（１）本発明による間接活線工事用クリップは、間接活線工具を用いて操作できると共に、電線又は電線を覆う絶縁シートを挟持可能な間接活線工事用クリップであって、前記電線又は前記絶縁シートを挟持可能な挟持部、及び前記挟持部に連続し、前記間接活線工具によって把持される把持部を有する一対の帯板状の開閉部材と、一対の前記挟持部の先端部を開閉可能に、一対の前記挟持部の基端部側を連結する連結部材と、一対の前記挟持部の先端部が閉じる方向に力を付勢する付勢部材と、を備え、前記挟持部は、先端部と基端部の間の領域に亘り、内壁から外壁に向かって窪んだ切り欠き部を有し、前記切り欠き部には、前記電線又は前記絶縁シートとの滑りを防止する帯板状の弾性部材を取り付けている。
【００１２】
（２）前記弾性部材は、先端部側から基端部側に向かって、板厚が漸次減少していることが好ましい。
【００１３】
（３）前記弾性部材は、波状に凹部と凸部が規則的に繰り返すプロファイル加工を前記電線又は前記絶縁シートの挟持面に施していることが好ましい。
【００１４】
（４）一方の前記弾性部材に設けた前記凹部と、他方の前記弾性部材に設けた前記凸部は、略嵌合するように配置されていることが好ましい。
【００１５】
（５）一対の前記開閉部材は、絶縁性を有する硬質の合成樹脂からなり、前記弾性部材は、前記開閉部材より硬度の低いゴム板からなることが好ましい。
【発明の効果】
【００１６】
本発明による間接活線工事用クリップは、電線又は絶縁シートとの滑りを防止する帯板状の弾性部材を一対の開閉部材の挟持部に取り付けているので、挟持部が伸長する方向と電線が伸長する方向が略直交する以外の交差角度で電線又は絶縁シートを挟持した場合であっても、電線又は絶縁シートを確実に挟持できる。
【図面の簡単な説明】
【００１７】
【図１】本発明の一実施形態による間接活線工事用クリップの構成を示す斜視図であり、一対の挟持部を開いた状態図である。
【図２】前記実施形態による間接活線工事用クリップの構成を示す正面図であり、一対の挟持部を閉じた状態図である。
【図３】前記実施形態による間接活線工事用クリップの構成を示す平面図である。
【図４】前記実施形態による間接活線工事用クリップの構成を示す図であり、図４（Ａ）は、連結部を覆うバンド部材を断面で示した間接活線工事用クリップの正面図、図４（Ｂ）は、連結部を覆うバンド部材を断面で示した間接活線工事用クリップの平面図である。
【図５】前記実施形態による間接活線工事用クリップの構成を示す正面図であり、一対の挟持部を開いた状態図である。
【図６】前記実施形態による間接活線工事用クリップを間接活線工具で把持した状態を示す正面図である。
【図７】従来技術による間接活線工事用クリップの構成を示す正面図である。
【発明を実施するための形態】
【００１８】
以下、図面を参照して本発明を実施するための形態を説明する。
［間接活線工事用クリップの構成］
最初に、本発明の一実施形態による間接活線工事用クリップの構成を説明する。
【００１９】
図１は、本発明の一実施形態による間接活線工事用クリップの構成を示す斜視図であり、一対の挟持部を開いた状態図である。図２は、前記実施形態による間接活線工事用クリップの構成を示す正面図であり、一対の挟持部を閉じた状態図である。図３は、前記実施形態による間接活線工事用クリップの構成を示す平面図である。
【００２０】
図４は、前記実施形態による間接活線工事用クリップの構成を示す図であり、図４（Ａ）は、連結部を覆うバンド部材を断面で示した間接活線工事用クリップの正面図、図４（Ｂ）は、連結部を覆うバンド部材を断面で示した間接活線工事用クリップの平面図である。図５は、前記実施形態による間接活線工事用クリップの構成を示す正面図であり、一対の挟持部を開いた状態図である。
【００２１】
図１を参照して、本発明の一実施形態による間接活線工事用クリップ（以下、クリップと略称する）１０は、電線Ｗ又は電線Ｗを覆う絶縁シート（図示せず）を挟持できる。又、クリップ１０は、後述する間接活線工具となる絶縁操作棒８０（図６参照）を用いて、操作できる。
【００２２】
図１から図５を参照すると、クリップ１０は、一対の帯板状の開閉部材１・２、連結部材３、及び付勢部材となる捩じりコイルばね４を備えている。一対の開閉部材１・２は、絶縁性を有する硬質の合成樹脂からなり、長尺の帯板状に成形されている。一対の開閉部材１・２は、電線Ｗ又は絶縁シートを挟持可能な挟持部１ａ・２ａと、絶縁操作棒８０（図６参照）によって把持される把持部１ｂ・２ｂに区分している。
【００２３】
図１から図５を参照すると、連結部材３は、実体として、一対の開閉部材１・２の幅方向に挿通された連結ピンである。そして、この連結ピンが一対の開閉部材１・２から離脱しないように、連結部の周囲をゴムからなる環状のバンド部材５で覆っている（図４（Ｂ）参照）。このように、連結部材３は、一対の挟持部１ａ・２ａの先端部を開閉可能に、一対の挟持部１ａ・２ａの基端部側を連結している。
【００２４】
図１から図５を参照すると、捩じりコイルばね４は、連結部材３及び一対の把持部１ｂ・２ｂに内装されている。捩じりコイルばね４は、一対の挟持部１ａ・２ａの先端部が閉じる方向に力を付勢している。そして、捩じりコイルばね４の付勢力に抗して、一対の把持部１ｂ・２ｂを互いに近づけると、挟持部１ａ・２ａの先端部を開くことができる（図１又は図５参照）。一方、一対の把持部１ｂ・２ｂを解放すると、捩じりコイルばね４に付勢されて、一対の挟持部１ａ・２ａの先端部を閉じることができる（図２又は図４（Ａ）参照）。
【００２５】
図１から図５を参照すると、一対の挟持部１ａ・２ａは、先端部と基端部の間の領域に亘り、内壁から外壁に向かって窪んだ切り欠き部１ｃ・２ｃを有している。これらの切り欠き部１ｃ・２ｃには、帯板状の弾性部材となるゴム板６・６を取り付けている。そして、一対の挟持部１ａ・２ａで電線Ｗ又は絶縁シートを挟持すると、ゴム板６・６が弾圧して、電線Ｗ又は絶縁シートとの滑りを防止できる。ゴム板６は、開閉部材１・２より硬度が低いことが好ましい。
【００２６】
図１から図５を参照すると、ゴム板６は、先端部側から基端部側に向かって、その板厚が漸次減少するように形成している。そして、図２に示すように、一対のゴム板６・６の対向面は、基端部側に向かって間隙が拡がっている。これにより、比較的直径の大きい電線Ｗを一対の挟持部１ａ・２ａの基端部側で挟んだ場合であっても、一対の挟持部１ａ・２ａの先端部を閉じることができ、電線Ｗを確実に把持できる。
【００２７】
図１から図５を参照すると、ゴム板６は、波状に凹部と凸部が規則的に繰り返すプロファイル加工を電線Ｗ又は絶縁シートの挟持面６ａに施している。これにより、直径の細い電線Ｗであっても確実に把持することができる。又、不規則に屈曲した電線Ｗであっても確実に把持することができる。なお、一方のゴム板６に設けたプロファイル加工の凹部と、他方のゴム板６に設けたプロファイル加工の凸部は、略嵌合するように配置されていることが好ましい。
【００２８】
［間接活線工事用クリップの作用］
次に、実施形態によるクリップ１０の構成を補足すると共に、クリップ１０の操作方法を説明しながら、クリップ１０の作用及び効果を説明する。図６は、前記実施形態による間接活線工事用クリップを間接活線工具で把持した状態を示す正面図である。
【００２９】
図６を参照すると、間接活線工具となる絶縁操作棒８０（いわゆる、絶縁ヤットコ）は、長尺の主操作棒８１と補助操作棒８２を備えている。補助操作棒８２は、主操作棒８１に併設されている。主操作棒８１の先端部には、円弧状の固定アーム８１ａを取り付けている。固定アーム８１ａには、円弧状の可動アーム８２ａが回動可能に連結している。
【００３０】
図６を参照すると、可動アーム８２ａには、補助操作棒８２の先端部が連結している。主操作棒８１の手許部に設けた操作レバー（図示せず）を操作すると、主操作棒８１に対して、補助操作棒８２を進退できる。補助操作棒８２を一方の方向に移動すると、固定アーム８１ａの先端部８１１に対して、可動アーム８２ａの先端部８２１を開くことができる。補助操作棒８２を他方の方向に移動すると、固定アーム８１ａの先端部８１１に対して、可動アーム８２ａの先端部８２１を閉じることができる。
【００３１】
図６を参照して、クリップ１０を絶縁操作棒８０に取り付ける場合は、固定アーム８１ａの先端部８１１に対して、可動アーム８２ａの先端部８２１を閉じて、一対の把持部１ｂ・２ｂを外側から挟むことができる（図２参照）。一対の挟持部１ａ・２ａを閉じた状態では、クリップ１０は、綾目状の滑り止め加工１ｒ・２ｒ（図１又は図４参照）を表面に施した一対の把持部１ｂ・２ｂの外面が略平行に形成されているので、あらゆる方向から絶縁操作棒８０でクリップ１０を把持できる。
【００３２】
図６に示された状態から、固定アーム８１ａの先端部８１１に対して、可動アーム８２ａの先端部８２１を更に閉じると、一対の挟持部１ａ・２ａを開くことができる（図１又は図５参照）。そして、一対の挟持部１ａ・２ａが開いた状態を維持しながら、電線Ｗに向かってクリップ１０を移動し、主操作棒８１の手許部に設けた操作レバー（図示せず）を操作し、一対の挟持部１ａ・２ａを閉じることで、電線Ｗ又は電線Ｗを覆う絶縁シート（図示せず）を挟持できる。
【００３３】
図１から図５を参照して、実施形態によるクリップ１０は、電線Ｗ又は絶縁シートとの滑りを防止する帯板状のゴム板６・６を一対の開閉部材１・２の挟持部１ａ・２ａに取り付けているので、挟持部１ａ・２ａが伸長する方向と電線Ｗが伸長する方向が略直交する以外の交差角度で電線Ｗ又は絶縁シートを挟持した場合であっても、電線Ｗ又は絶縁シートを確実に挟持できる。
【００３４】
又、図１から図５を参照すると、ゴム板６は、先端部側から基端部側に向かって、その板厚が漸次減少するように形成しているので、比較的直径の大きい電線Ｗを一対の挟持部１ａ・２ａの基端部側で挟んだ場合であっても、一対の挟持部１ａ・２ａの先端部を閉じることができ、電線Ｗを確実に把持できるという効果がある。
【００３５】
更に、図１から図５を参照すると、ゴム板６は、波状に凹部と凸部が繰り返すプロファイル加工を電線Ｗ又は絶縁シートの挟持面６ａに施しているので、直径の細い電線Ｗであっても確実に把持することができるという効果がある。又、不規則に屈曲した電線Ｗであっても確実に把持することができるという効果がある。
【００３６】
本発明による間接活線工事用クリップは、次のような効果が奏される。
（１）電線又は電線を覆う絶縁シートを確実に挟持できる。
（２）クリップが落下する心配がない。
（３）操作が容易である。
（４）挟持物の許容度が広い。
【００３７】
本発明は、絶縁操作棒などを用いて、無停電状態の高圧配電線を間接的に活線工事できる間接活線工事用クリップを開示したが、本発明のクリップは、間接活線工事用に限定されることなく、他の分野でも応用されることが期待される。
【符号の説明】
【００３８】
１・２  一対の開閉部材
１ａ・２ａ  一対の挟持部
１ｂ・２ｂ  一対の把持部
１ｃ・２ｃ  切り欠き部
３  連結部材
４  捩じりコイルばね（付勢部材）
６  ゴム板（弾性部材）
１０  クリップ（間接活線工事用クリップ）
８０  絶縁操作棒（間接活線工具）
Ｗ  電線
【要約】
【課題】電線又は電線を覆う絶縁シートを確実に挟持できる間接活線工事用クリップを提供する。
【解決手段】クリップ１０は、一対の開閉部材１・２、連結部材３、及び捩じりコイルばね４を備える。開閉部材１・２は、電線Ｗ又は絶縁シートを挟持可能な挟持部１ａ・２ａと、絶縁操作棒８０によって把持される把持部１ｂ・２ｂを有する。連結部材３は、一対の挟持部１ａ・２ａの先端部を開閉可能に、一対の挟持部１ａ・２ａの基端部側を連結する。捩じりコイルばね４は、一対の挟持部１ａ・２ａの先端部が閉じる方向に力を付勢する。挟持部１ａ・２ａは、先端部と基端部の間の領域に亘り、内壁から外壁に向かって窪んだ切り欠き部１ｃ・２ｃを有する。切り欠き部１ｃ・２ｃには、電線Ｗ又は絶縁シートとの滑りを防止する帯板状のゴム板６を取り付けている。
【選択図】図１【図１】
0005475082.tif 000002
【図２】
0005475082.tif 000003
【図３】
0005475082.tif 000004
【図４】
0005475082.tif 000005
【図５】
0005475082.tif 000006
【図６】
0005475082.tif 000007
【図７】
0005475082.tif 000008